(57)【要約】【課題】主に、軒樋本体を溢れた雨水がオーバーフローする位置を特定できると共に、上記軒樋本体を容易に安定した状態で設置できるようにする。【解決手段】軒先側と軒元側とにそれぞれ立上部４，５を有する軒樋本体６を備えた軒樋３に関する。  軒先側の立上部４を、軒元側の立上部５よりも低くしてオーバーフロー側立上部にする。  オーバーフロー側立上部に、建物１によって支持される支持部（鍔部１１）が設けられるようにする。  支持部（鍔部１１）は、軒先側へ延びて建物１の軒天井材６２から離れた位置にて建物１に支持されるようにしても良い。  軒元側の立上部５の頂部には、屋根２によって押圧状態で保持される押圧保持部（水返部２１）が設けられても良い。【選択図】図１
2019138034.tif 000002
【特許請求の範囲】
【請求項１】
軒先側と軒元側とにそれぞれ立上部を有する軒樋本体を備えた軒樋において、前記軒先側の立上部を、前記軒元側の立上部よりも低くしてオーバーフロー側立上部にすると共に、
該オーバーフロー側立上部に、建物によって支持される支持部が設けられていることを特徴とする軒樋。
【請求項２】
請求項１に記載の軒樋において、
前記支持部は、軒先側へ延びて、建物の軒天井材から離れた位置にて建物に支持されるものであることを特徴とする軒樋。
【請求項３】
請求項１または請求項２に記載の軒樋において、
前記軒元側の立上部の頂部に、屋根によって押圧状態で保持される押圧保持部が設けられていることを特徴とする軒樋。
【請求項４】
請求項１ないし請求項３のいずれか１項に記載の軒樋において、
前記オーバーフロー側立上部に設けた支持部は、軒先側の縁部に水切部を有していることを特徴とする軒樋。
【請求項５】
請求項１ないし請求項４のいずれか１項に記載の軒樋において、
前記オーバーフロー側立上部に設けた支持部は、上下方向に対する位置決め部を有していることを特徴とする軒樋。
【請求項６】
請求項１ないし請求項５のいずれか１項に記載の軒樋を有することを特徴とする建物。
【発明の詳細な説明】
【技術分野】
【０００１】
この発明は、軒樋および建物に関するものである。
【背景技術】
【０００２】
戸建住宅などの建物には、屋根の下縁部に沿って軒樋を備えたものが存在している。この軒樋は、軒先側と軒元側とにそれぞれ立上部を有する側面視ほぼＵ字状などをした軒樋本体を備えている（例えば、特許文献１〜特許文献５参照）。
【先行技術文献】
【特許文献】
【０００３】
【特許文献１】特開昭６３−１９４０５８号公報
【特許文献２】実開昭５６−１７６２６３号公報
【特許文献３】特開平６−２０６８２号公報
【特許文献４】登録実用新案第３１８８３０１号
【特許文献５】実開平６−２０６８２号公報
【発明の概要】
【発明が解決しようとする課題】
【０００４】
しかしながら、特許文献１〜特許文献３などに記載されているように、軒樋は、一般的に、軒先側の立上部と軒元側の立上部とがほぼ同じ高さになっているので、排水トラブルなどによって軒樋本体から雨水が溢れた場合に、溢れた雨水が、どこからどのようにオーバーフローするのかを特定することができなかった。そのため、軒樋本体をオーバーフローした雨水が、例えば、建物の軒天井材や小屋裏などへ入り込んで不具合を生じるなどのおそれがあった。
【０００５】
これに対し、特許文献４のものは、軒樋本体の底部にオーバーフロー管を設置することで、溢れた雨水をオーバーフロー管からオーバーフローさせ得るようにしていた。そのため、オーバーフロー管の設置に手間やコストがかかっていた。
【０００６】
また、特許文献５のものは、軒先側の立上部の途中に吐出口を設けて、吐出口から雨水をオーバーフローさせるようにしていた。しかし、軒樋本体の側面に直接吐出口などを設けることによって、軒樋本体が長手方向に対して不均一な形状になっていた。そのため、軒樋本体の製造に手間やコストがかかっていた。また、軒樋本体の設置にも手間がかかっていた。
【０００７】
そこで、本発明は、主に、上記した問題点を解決することを目的としている。
【課題を解決するための手段】
【０００８】
上記課題を解決するために、本発明は、軒先側と軒元側とにそれぞれ立上部を有する軒樋本体を備えた軒樋において、前記軒先側の立上部を、前記軒元側の立上部よりも低くしてオーバーフロー側立上部にすると共に、該オーバーフロー側立上部に、建物によって支持される支持部が設けられていることを特徴とする。
【発明の効果】
【０００９】
本発明によれば、上記構成によって、軒樋本体を溢れた雨水がオーバーフローする位置を特定できると共に、上記軒樋本体を容易に安定した状態で設置できる。
【図面の簡単な説明】
【００１０】
【図１】本実施の形態にかかる軒樋を備えた建物の上部を示す拡大した縦断面図である。
【図２】図１の軒樋の端面図である。
【図３】（ａ）は図２の軒樋の側面図、（ｂ）は（ａ）の向きが分かるように併記した端面図である。
【図４】（ａ）は図２の軒樋の平面図、（ｂ）は（ａ）の向きが分かるように併記した端面図である。
【図５】軒樋の鍔部を位置決めする様子を示す側面図である。
【発明を実施するための形態】
【００１１】
以下、本実施の形態を、図面を用いて詳細に説明する。
図１〜図５は、この実施の形態を説明するためのものである。
【実施例１】
【００１２】
＜構成＞以下、構成について説明する。
【００１３】
図１は、戸建住宅などの建物１の上部を示す拡大断面図である。戸建住宅などの建物１は、（建物本体の外部における）屋根２の下縁部（水下側となる縁部）の位置に軒樋３を備えている。この軒樋３は、図２（〜図４）に示すように、軒先側と軒元側とにそれぞれ立上部４，５を有する軒樋本体６を備えている。
【００１４】
ここで、軒樋３は、側面視ほぼＵ字状をした金属製や樹脂製の部材である。或いは、軒樋３は、主に、上に開いた溝形状の部分から成る長尺の部材（排水部材）である。この実施例では、軒樋３は、軒樋本体６が、底面７と、軒先側の立上部４と、軒元側の立上部５とを一体に有する角型のものとなっている。軒樋本体６は、平滑な表面を有すると共に、均一肉厚のものとされている。軒樋３は、例えば、一枚の金属板を曲げ加工して形成することなどが可能な形状とされている。
【００１５】
軒樋３には、落し口３ａ（図４参照）が設けられる。落し口３ａは、軒樋本体６の底面７に形成される。軒樋３は、落し口３ａを介して縦樋に接続される。そのために、軒樋３は、落し口３ａへ向かって下り勾配に傾斜するように屋根２の下縁部に沿って設置される。
【００１６】
軒先側は、建物１から離れた側のことである。また、軒元側は、建物１に近い側のことである。立上部４，５は、底面７の両側部からほぼ上方へ向かって延びる部分のことであり、軒樋３の側面を形成する側壁とされている。軒先側の立上部４および軒元側の立上部５は、軒樋３の長手方向の全域に亘ってほぼ均一な高さに形成される。
【００１７】
以下、軒樋３について説明する。
【００１８】
（Ａ）軒先側の立上部４を、軒元側の立上部５よりも低くすることでオーバーフロー側立上部にする。
そして、軒先側の立上部４の頂部から、軒先側へ延びる鍔部１１が設けられるようにする。この鍔部１１は、建物１の軒天井材６２から離れた位置に配置されるものとなっている。
【００１９】
ここで、軒先側の立上部４を、軒元側の立上部５よりも低くしたのは、排水トラブルなどによって軒樋本体６から雨水１５（図１参照）が溢れた場合に、溢れた雨水１５を軒先側の立上部４から積極的にオーバーフローさせると共に、軒元側の立上部５からは（可能な限り）オーバーフローさせないためである。よって、軒先側の立上部４は、溢れた雨水１５が確実に軒先側の立上部４のみからオーバーフローされるように、軒元側の立上部５よりも十分に低くする必要がある。
【００２０】
なお、軒樋３の立上部４，５は、一般的には雨水１５を溢れさせないための側壁である。そのため、このような、（大雨時や排水トラブル時などに）溢れた雨水１５を軒先側の立上部４から積極的にオーバーフローさせるような使い方は、立上部４，５の本来の使い方とは異なるものである。
【００２１】
軒樋３は、屋根２の雨水１５を集めて縦樋へと案内する通常時の機能と、雨水１５が溢れた時にオーバーフローさせる排水トラブル時の機能とをバランス良く両立させるために、先ず、軒先側の立上部４を、一般的な軒樋とほぼ同等の流量を確保し得るような高さ（機能的に必要な高さ）に設定する。次に、軒元側の立上部５を、この軒先側の立上部４よりも高くなるように設定する。これによって、軒先側の立上部４がオーバーフロー側立上部になると共に、軒元側の立上部５が非オーバーフロー側立上部となる。
【００２２】
必要な場合には、更に、軒樋３の底部を一般的な軒樋よりも広幅にすることで、軒先側の立上部４を、必要な高さを確保しつつ一般的な軒樋よりも低くできるようにして、全体的な形状バランスを整えるようにしても良い。これによって、軒樋３は、屋根２に対して見栄え良く取付け得るものになる。この場合、軒元側の立上部５の高さは、軒先側の立上部４の高さに応じて最適となるように設定される。
【００２３】
そして、雨水１５を軒先側の立上部４から確実にオーバーフローさせるためには、軒先側の立上部４と軒元側の立上部５との間の高低差１６を最適に設定することが最も重要になる。この高低差１６は、例えば、全国の雨量データや、軒樋３を設置する地域の雨量データなどに基づいて最適に設定することができる。
【００２４】
具体的には、高低差１６は、最低限、１０ｍｍ程度以上確保することが必要になる。より確実性を持たせるためには、高低差１６をより大きくして、例えば、２０ｍｍ〜４０ｍｍ程度などとするのが好ましい。この際、軒先側の立上部４が、例えば、軒元側の立上部５のほぼ６割〜７割程度の高さとなるようにするのがバランス的には好ましい。
【００２５】
鍔部１１は、軒先側の立上部４からオーバーフローした雨水１５を、軒先側の立上部４および建物１の軒天井材６２から離れた軒先側の位置まで円滑に導く導水板となるものである。鍔部１１は、軒先側の立上部４に（例えば、屈曲などによって）一体に設けられる。軒先側の立上部４と鍔部１１とによってオーバーフロー部が構成される。鍔部１１は、オーバーフローした雨水１５が軒天井材６２にかからない程度またはそれ以上に軒天井材６２（の軒先側の端部）から少なくとも軒先側に離隔した位置に設置される。
【００２６】
具体的には、鍔部１１は、建物１の軒天井材６２および庇形成アーム５６よりも上方で、先端部が（後述する化粧材６３に当たらない範囲内で）軒天井材６２および庇形成アーム５６の先端部よりも軒先側に位置するように配置される。軒天井材６２および庇形成アーム５６については後述する。
【００２７】
この際、鍔部１１は、ほぼ水平とすることができるが、鍔部１１には、軒先側へ向かって下り傾斜となるような勾配１８を設けるのが好ましい。鍔部１１の勾配１８は、一般的な排水勾配と同程度にすれば良い。鍔部１１は、軒樋３の長手方向の全域に亘ってほぼ均一な幅に形成される。鍔部１１は、例えば、軒元側の立上部５の高さのほぼ半分程度またはそれ以上の幅寸法を有する、比較的広幅のものなどとしても良い。或いは、鍔部１１は、例えば、軒先側の立上部４の高さとほぼ同程度の幅寸法を有するものとしても良い。
【００２８】
（Ｂ）軒元側の立上部５の頂部に、軒先側へ延びる水返部２１を設けても良い。
【００２９】
ここで、水返部２１は、軒元側の立上部５から雨水１５がオーバーフローしてしまうのを規制するための規制部（オーバーフロー規制部）である。水返部２１は、軒元側の立上部５に（例えば、屈曲などによって）一体に設けられる。水返部２１は、軒先側へ向かってほぼ水平または若干上がり勾配または下がり勾配となるように延ばされて、軒樋本体６内の軒元側の部分の一部を覆うものとされる。水返部２１は、軒樋３の長手方向の全域に亘ってほぼ均一な幅に形成される。
【００３０】
なお、水返部２１の上面には、必要に応じて防水テープなどのような弾性変形が可能な厚手の防水材２５を製造時や施工時などに取付けることができる。防水材２５を取付ける場合には、水返部２１は、防水材２５とほぼ同じかそれよりも若干広い幅で、ほぼ水平または屋根２と平行な角度となるようにするのが好ましい。水返部２１は、防水材２５を介して屋根２を設置することにより、屋根２によって（上側から）押圧状態で保持される押圧保持部（押圧保持面）などとなる。
【００３１】
（Ｃ）鍔部１１の軒先側の縁部に、水切部３１を設けても良い。
【００３２】
ここで、水切部３１は、鍔部１１に沿って軒先側へ導かれた雨水１５を、鍔部１１から水切れさせて、狙った位置へ向けて流下させるための流下案内部である。水切部３１は、鍔部１１に（例えば、屈曲などによって）一体に設けられる。水切部３１は、鍔部１１の軒先側の縁部からほぼ下方へ延びる屈曲縁（下向縁部）などとすることができる。水切部３１は、軒樋３の長手方向の全域に亘ってほぼ均一な幅に形成される。
【００３３】
（Ｄ）鍔部１１は、上下方向に対する位置決め部４１を有しても良い。
【００３４】
ここで、位置決め部４１は、鍔部１１を上下方向に位置決めして、鍔部１１を、ほぼ水平な状態や、所要の勾配１８などを有して傾斜した状態などとなるように設置するためのものである。この実施例では、鍔部１１の軒先側に設けた水切部３１を、位置決め部４１として使用するようにしている。
【００３５】
水切部３１による鍔部１１の位置決めには、図５に示す固定ヒレ部材などのような位置決め用の補助具４５を用いることができる。この補助具４５は、例えば、補助具本体４５ａと、補助具本体４５ａに一体に設けられた位置規定部４５ｂとを有することができる。
【００３６】
補助具本体４５ａは、例えば、後述する化粧材支持金具５９などの軒先金具に設けた切欠部５９ａの奥部に対して嵌着可能な２つ折り形状のものや、切欠部５９ａの奥部周辺となる面に当接固定可能な当接面などとすることができる。位置規定部４５ｂは、例えば、水切部３１（位置決め部４１）を受けて（収容保持して）上下方向に位置規定させるようにした側面視ほぼ横向き（内向き）のＣ字状とすることができる。鍔部１１に設けた位置決め部４１は、上下方向の位置決めに限らず、軒先方向に対する位置決めや長手方向に対する位置決めなどに用いるようにしても良い。
【００３７】
なお、構造的には上記のようにするのが好ましいが、位置決め部４１は、水切部３１とは別の位置などに専用に設けても良い。また、位置決め用の補助具４５は、使用しても良いし、使用しなくて済むように構成しても良い。或いは、位置決め用の補助具４５は、上記したものとは異なる形状のものなどとしても良い。
【００３８】
（６）以下、建物１について説明する。
【００３９】
建物１は、戸建て住宅などの建物全般とすることができるが、例えば、図１に示すようなユニット建物などとしても良い。ユニット建物は、予め工場で製造した建物ユニット５１を建築現場へ運んで、建築現場で組み立てることによって、短期間のうちに建物１を構築し得るようにしたものである。ユニット建物には、鉄骨系のものと、木質系のものとが存在している。この実施例では、鉄骨系のユニット建物としている。但し、建物１は、（鉄骨系の）ユニット建物に限るものではない。
【００４０】
そして、鉄骨系のユニット建物の場合、建物ユニット５１は、４本の柱の上端部間を４本の天井梁５２で矩形状に連結すると共に、４本の柱の下端部間を４本の床梁で矩形状に連結して成るボックスラーメン構造のユニットフレームを有している。ユニットフレームには、壁面を構成する外壁材５３などが取付けられる。
【００４１】
建物１では、（建物ユニット５１によって構築された）建物本体の最上階に位置する建物ユニット５１を構成する天井梁５２の上部に対し、取付フレーム５５を介して、凹凸を有する折版屋根などの屋根材を用いた屋根２が設置される。屋根２は、下り勾配に傾斜させた状態で、端部が建物ユニット５１の外壁材５３よりも水下側などへ張り出すように取付けられることで、建物１に庇が形成される。
【００４２】
建物本体の上部、即ち、最上階の建物ユニット５１の水下側となる天井梁５２の側部には、横へ（即ち、外壁材５３とほぼ直交する方向へ）張り出すように支持部材としての庇形成アーム５６が取付けられる。この庇形成アーム５６は、軒樋本体６の幅寸法よりも長い片持梁などとされて、軒樋３の長手方向に対し、所要の間隔を有して複数本取付けられる。
【００４３】
そして、この庇形成アーム５６の上部に、樋受金具５７を用いて、上記した軒樋３が設置される。樋受金具５７は、軒樋３の下部（底面７周辺）を収容可能なほぼＵ字状をして、庇形成アーム５６の上部にビスなどの固定部材５８などで（上下方向に）固定される。
【００４４】
軒樋３は、その下部を、樋受金具５７の内側に上方から嵌合した状態で保持される。そして、この状態で、庇形成アーム５６の軒先側の端部に取付けられた上方へ延びる化粧材支持金具５９に対して、上記した補助具４５を用いて位置決め部４１を係止させることで、鍔部１１の位置決めが行われる。
【００４５】
ここで、化粧材支持金具５９は、ほぼ上下方向へ延びる下部５９１と、この下部５９１の上端部から横へ屈曲してほぼ軒先方向へ延びる中間部５９２と、この中間部５９２の軒先側の端部からほぼ上方へ延びる上部５９３とを有する側面視でほぼＳ字状またはクランク状の面を有する金具とされる（以上、図５参照）。化粧材支持金具５９は、その下部５９１が庇形成アーム５６の先端部に固定される。化粧材支持金具５９は、その上部５９３の外側縁部および上端縁部に後述する化粧材６３が当接固定される。化粧材支持金具５９の上部５９３は、上拡がり状とされて外側縁部および上端縁部が化粧材６３の内面と同じ形に形成される。化粧材支持金具５９の上部５９３の外側縁部および上端縁部には、化粧材６３の形状に合わせた形状で側方（面直方向）や斜め上方などへ張り出す取付用フランジ部を設置するようにしても良い。なお、化粧材６３の取付けには、必ずしもこの化粧材支持金具５９を使う必要はなく、別の金具などを用いることも構造的には可能であるが、この化粧材支持金具５９は、化粧材６３の取付けなどのために最も適したものされている。
【００４６】
化粧材支持金具５９の軒先方向へ延びる中間部５９２は、その上縁部が、軒樋３の軒先側の立上部４から軒先側へ延びる鍔部１１を載置保持できるように、鍔部１１と同じ高さや同じ勾配１８を有するように形成される。化粧材支持金具５９の中間部５９２の上縁部に載置保持されることにより、鍔部１１は、建物１によって直接または間接的に（下側から）支持される支持部（支持面）となる。また、化粧材支持金具５９の中間部５９２の上縁部は、鍔部１１を支持する支持部となる。
【００４７】
また、化粧材支持金具５９の中間部５９２は、その下縁部が、庇形成アーム５６の上縁部よりも高い位置に形成される。そして、上記した切欠部５９ａは、化粧材支持金具５９の中間部５９２の上縁部と、上部５９３の内側縁部とのコーナー部に、鍔部１１の先端部との干渉を防止し得るように形成されている。この切欠部５９ａは、主に鍔部１１の先端部を下側から受ける横向きの切込状部分で構成されている。この横向きの切込状部分は位置決め部４１（水切部３１）や補助具４５の位置規定部４５ｂが入る高さを有している。横向きの切込状部分の奥部には、位置決め部４１（水切部３１）や補助具４５の位置規定部４５ｂを落とし込んだ状態で収容保持可能な下向きの切込状部分が形成されている。切欠部５９ａを構成する横向きの切込状部分と、下向きの切込状部分とは屈曲形状に連なっている。
【００４８】
鍔部１１や位置決め部４１の切欠部５９ａへの挿入係止による位置決め後には、ビスなどの固定部材６０を用いて、化粧材支持金具５９と水切部３１とを、外側から軒元方向に固定しても良い。
【００４９】
これにより、軒樋３は、屋根２から流下した雨水１５を受け得る位置（屋根２の水下側の縁部の真下の位置）に確実に設置される。この時、軒先側の立上部４は、屋根２の水下側の縁部よりも外側に位置され、軒元側の立上部５は、屋根２の水下側の縁部よりも内側に位置される。
【００５０】
この際、軒樋３は、軒元側の立上部５の頂部に設けた水返部２１の上面の防水材２５が、折版屋根などの屋根２の水下側の縁部近傍の下面に対して当接されることで、防水が行われる。
【００５１】
そして、庇形成アーム５６の下側には、軒樋３に沿って軒天井材６２が取付けられる。軒天井材６２は、例えば、ロックウールなどで構成された防火材となっている。軒天井材６２は、庇形成アーム５６の張り出し長さよりも狭い幅寸法を有して、庇形成アーム５６のほぼ中央の位置に設置される。
【００５２】
更に、屋根２の水下側の縁部近傍の上面と、軒天井材６２との間に亘って、軒樋３を外側から覆うように化粧材６３を取付けても良い。この化粧材６３は、屋根２（屋根材）の終端の位置にて、屋根２（屋根材）と離隔して設けられる。この化粧材６３は、上下方向に対し複数に分割して構成することができる。この実施例では、化粧材６３は、上部片６４と、中間片６５と、下部片６６とに３分割されている。
【００５３】
このうち、上部片６４は、化粧材支持金具５９の上部５９３の上端縁部に支持固定されると共に、軒樋３を上方から覆うための庇カバー６７によって屋根２と連結されている。中間片６５は、上部片６４と下部片６６との間に設置され、主に、化粧材支持金具５９の上部５９３の外側縁部に支持固定されている。
【００５４】
下部片６６は、庇形成アーム５６の軒先側の端部（先端部）と軒天井材６２との間に取付けられている。下部片６６は、側方から見て段差形状を有するものとなっており、その上部が庇形成アーム５６の先端部に当接固定可能な当接固定部６６ａとなっている。下部片６６は、その中間部が当接固定部６６ａから軒先側へ突出すると共に、庇形成アーム５６の先端部や下部などから離間した状態で軒天井材６２へ向け下に回り込む離間部６６ｂなどとなっている。
【００５５】
離間部６６ｂは、その下部が、軒天井材６２の下面と同じかまたはそれよりも低い位置まで下方へ延びた後に、軒天井材６２の厚みのほぼ中間高さの位置まで立ち上がるように上方へ屈曲し、更に、軒元側へ向けほぼ水平に屈曲して軒天井材６２の端部と接続されるほぼ下方迂回形状の水切状部６６ｃなどとなっている。
【００５６】
そして、少なくとも、中間片６５の下部と下部片６６の上部（の当接固定部６６ａ）とは、化粧材支持金具５９の中間部５９２の下縁部よりも下側の位置で、上下方向に一部重なるように設けられる。この重なり部分の間には、化粧材６３の内部や小屋裏などを換気するための換気部６８が設けられている。換気部６８は、中間片６５の下部と下部片６６の上部とを僅かに離間させて成る換気スリットなどとすることができる。この換気部６８は、庇形成アーム５６の先端部（の上半部）よりも軒先側の位置で、且つ、軒樋３の軒先側の立上部４（の頂部の鍔部１１）よりも低く、軒天井材６２よりも高い位置（または、軒樋本体６の底面７とほぼ同じか、それよりも若干低い位置など）に設けられている。
【００５７】
そして、換気部６８には、軒先側の立上部４からオーバーフローした雨水１５の流下（排水）を案内する流下案内部６９（水切部）、または、外部からの雨水の入り込みを防止するための水返部を設けることができる。この換気部６８と流下案内部６９とで換気水切部が構成される。
【００５８】
流下案内部６９として、中間片６５の下部には、軒元側へ向けてほぼ水平または僅かな下り勾配を有して（下部片６６の当接固定部６６ａへ達しない長さで）横へ延びる横延出部６９ａが設けられている。また、流下案内部６９として、横延出部６９ａの上側で、下部片６６の当接固定部６６ａの上端部よりも若干低い位置には、軒先側へ向けてほぼ水平または僅かな下り勾配を有して（中間片６５に達しない長さで）横へ延びる横延出部６９ｂが設けられている。横延出部６９ｂと、横延出部６９ａとは、横方向に一部重なると共に、上下方向に間隔を有するように設置されている。
【００５９】
更に、横延出部６９ｂには、その先端部および中間部からそれぞれ下方へ延びる下延出部６９ｃ，６９ｄが前後に離して一対設けられている。先端部の下延出部６９ｃは、横延出部６９ａに達しない長さに延びて、横延出部６９ａの上方に離れて位置し、中間部の下延出部６９ｄは、横延出部６９ａに達する程度かそれ以上の長さに延びて、横延出部６９ａの軒元側に離れて位置している。
【００６０】
加えて、下部片６６の当接固定部６６ａの上端部は、オーバーフローした雨水１５の軒天井材６２側への回り込みを防止するための立壁状の上延出部６９ｅとされている。この上延出部６９ｅは、庇形成アーム５６の上部よりも位置が高くなるまで上方へ延ばされている。この実施例では、上延出部６９ｅは、化粧材支持金具５９の中間部５９２の下縁部の位置まで延ばされている。
【００６１】
そして、横延出部６９ｂおよび軒先側の下延出部６９ｃが横延出部６９ａに対し上方に間隔を有して位置し、軒元側の下延出部６９ｄが横延出部６９ａに対し軒元側に間隔を有して位置することで、ラビリンス状の流下案内部６９を形成している。
【００６２】
このような、化粧材６３の換気部６８および流下案内部６９に対し、軒樋３の鍔部１１の軒先側の縁部は、流下案内部６９（の上延出部６９ｅよりも軒先側となる横延出部６９ｂの中間部分）の上方に達する位置まで延ばされると共に、水切部３１は、換気部６８（の横延出部６９ｂ）へ向けて下方へ屈曲されている。これにより、換気部６８は、軒樋３からオーバーフローした雨水１５の排出口（換気水切部）としても使用可能なものとなる。
【００６３】
以上のような構成において、この実施例は、以下の点をその特徴としている。
【００６４】
（１）軒先側の立上部４（オーバーフロー側立上部）に建物１によって支持される支持部（鍔部１１）を設けるようにしている点
【００６５】
（２）支持部（鍔部１１）が、軒先側へ延びて、建物１の軒天井材６２から離れた位置にて建物１に支持されるようにしている点
【００６６】
（３）軒元側の立上部５の頂部に、屋根２によって押圧状態で保持される押圧保持部（水返部２１）を設けている点
【００６７】
（４）オーバーフロー側立上部（軒先側の立上部４）に設けた支持部（鍔部１１）が、その軒先側の縁部に水切部３１を有している点
【００６８】
（５）オーバーフロー側立上部（軒先側の立上部４）に設けた支持部（鍔部１１）が、上下方向に対する位置決め部４１を有している点
【００６９】
（６）上記した建物１が、上記した軒樋３を有している点
【００７０】
＜作用＞以下、この実施例の作用について説明する。
【００７１】
屋根２に降った雨水１５は、屋根２に沿って水下側へと流れて行き、軒樋３に集められる。軒樋３に集められた雨水１５は、通常の場合、軒樋３に設けられた落し口３ａから縦樋へ導かれて排水されるようになっている。
【００７２】
しかし、例えば、縦樋や、軒樋３の縦樋への落し口３ａなどに詰まりが生じるなどによって排水トラブルが発生した場合には、縦樋への排水ができなくなり、軒樋３に雨水１５が溜まって、軒樋３が溢れることになる。
【００７３】
軒樋本体６から溢れた雨水１５が、例えば、軒元側の立上部５からオーバーフローすると、オーバーフローした雨水１５が小屋裏へ入り込むおそれがある。また、溢れた雨水１５が、例えば、軒先側の立上部４からオーバーフローする際に、破線で示すように軒樋本体６の外側を伝わって流下すると、軒天井材６２の上などへ流下して軒天井材６２に染み込むおそれがある。
【００７４】
軒天井材６２は、保水性を有するロックウールなどでできているので、含水すると、雨が止んだ後に継続的に雨垂れが発生する原因となることがある。よって、軒樋本体６から溢れた雨水１５の経路を特定できるようにしておくこと、および、溢れた雨水１５が小屋裏や軒天井材６２へ向かわない経路にしておくことは重要である。
【００７５】
（Ａ）そこで、軒先側の立上部４を、軒元側の立上部５よりも低くしている。これにより、軒樋本体６から雨水１５が溢れた場合に、溢れた雨水１５を、確実に軒先側の立上部４からオーバーフローさせることができる。
【００７６】
そして、軒先側の立上部４の頂部に、軒先側へ延びる鍔部１１を延設するようにしている。これにより、軒先側の立上部４からオーバーフローした雨水１５を鍔部１１に沿って軒先側へと導き、軒樋本体６から軒先側に十分に離れた位置へ円滑に排水させることができる。
【００７７】
更に、鍔部１１を、建物１の軒天井材６２から離れた位置に配置するようにしている。これにより、軒樋本体６から溢れた雨水１５の排水経路が軒天井材６２から確実に離れた位置となるように最適に設定することができる。例えば、軒樋本体６から溢れた雨水１５が軒元側の立上部５からオーバーフローして、小屋裏へ入り込んだり、軒天井材６２に染み込んで雨垂れを発生させたりするなどの不具合の発生をほぼ半永久的に防止することが可能になる。
【００７８】
この際、軒樋本体６の断面形状を工夫するだけでオーバーフローした雨水１５の排水経路を特定したり、自由に設定したりできるので、排水経路を設けるために、例えば、オーバーフロー管などを設ける必要をなくすことができる。その分、オーバーフロー管などを設置するための手間や部品コストを削減することができる。また、例えば、軒先側の立上部４の途中に吐出口などのような形状の異なる部分を設ける必要がなくなり、その分、軒樋本体６を長手方向に均一な形状にして、軒樋本体６を、手間をかけずに安価に製造可能にすることができる。
【００７９】
なお、軒先側の立上部４と軒元側の立上部５との高低差１６は、軒元側の立上部５からのオーバーフローが生じ難くなるようにするために必要な最低限の大きさとしたり、或いは、軒元側の立上部５からのオーバーフローをより確実に防止し得るような余裕を持った大きさにすることができる。
【００８０】
（Ｂ）軒元側の立上部５の頂部に、軒先側へ延びる水返部２１を設けても良い。水返部２１は、軒樋本体６の内部における雨水１５の水位が軒元側の立上部５の頂部の位置まで達した時に、軒元側の立上部５の周辺を上側から塞ぐようにするものである。これにより、軒元側の立上部５から雨水１５がオーバーフローするのを、水返部２１によって有効に防止することができる。この際、水返部２１を、軒元側の立上部５の頂部に一体に設けたほぼ横方向の内側へ向けて延びる屈曲部とすることで、水返部２１を、容易に形成することができる。また、水返部２１の上面に防水テープなどのような弾性変形が可能な厚手の防水材２５を取付けることで、屋根２に対する防水を容易に行うことができる。
【００８１】
（Ｃ）鍔部１１の軒先側の縁部に、水切部３１を設けても良い。水切部３１は、鍔部１１の軒先側の縁部に達した雨水１５の方向を変更してほぼ真下へ向かわせるものである。これにより、軒先側の立上部４からオーバーフローし、鍔部１１を介して軒先側へ導かれた雨水１５を水切部３１によって確実に鍔部１１から水切れさせることができる。よって、軒先側の立上部４からオーバーフローした雨水１５の排水を促進すると共に、オーバーフローした雨水１５が軒樋本体６の外側を伝わって流れる（伝い水が発生する）のを防止することができる。この際、水切部３１を、鍔部１１の軒先側の縁部に一体に設けたほぼ下方へ延びる屈曲縁とすることで、水切部３１を、容易に形成することができる。
【００８２】
（Ｄ）鍔部１１には、上下方向に対する位置決め部４１を設けても良い。位置決め部４１は、鍔部１１の上下方向の位置を正確に規定するものである。これにより、位置決め部４１を用いて鍔部１１を上下方向に位置決めすることで、鍔部１１を確実に、水平な状態や、または、所要の勾配１８を有する状態などに安定して取付けることができる。そして、例えば、強風時などにおいても（換気経路上などに設置されている）軒樋３の軒先側があおられてバタ付くようなことも防止できる。この際、鍔部１１の軒先側に設けた水切部３１を位置決め部４１として使用することで、構造の合理化や集約化などを図ることができる。
【００８３】
＜効果＞この実施例によれば、以下のような効果を得ることができる。
【００８４】
（効果１）オーバーフロー側立上部とした軒先側の立上部４に支持部（鍔部１１）を設けた。これにより、支持部（鍔部１１）を建物１に支持させることで、軒元側の立上部５よりも低く形成したオーバーフロー側立上部を容易に安定した状態に設置することができる。
【００８５】
（効果２）支持部（鍔部１１）は、軒先側へ延びて、建物１の軒天井材６２から離れた位置にて建物１に支持されるようにしても良い。これにより、（オーバーフロー側立上部に設けた）支持部は建物１の軒天井材６２から離れた（余裕のある）位置で支持されるものとなる。よって、支持部に対する支持構造の簡略化を図ると共に、オーバーフロー側立上部からオーバーフローした雨水１５が軒天井材６２の側へ導かれ難くすることができる。
【００８６】
（効果３）軒元側の立上部５の頂部に押圧保持部（水返部２１）を設けるようにしても良い。これにより、軒元側の立上部５の頂部を屋根２によって押圧状態にして安定して保持することができる。
【００８７】
（効果４）オーバーフロー側立上部に設けた支持部（鍔部１１）は、その軒先側の縁部に水切部３１を有しても良い。これにより、支持部の軒先側の縁部に設けた水切部３１によって支持部に達した雨水１５の水切りを行わせることができる。
【００８８】
（効果５）オーバーフロー側立上部に設けた支持部（鍔部１１）は、上下方向に対する位置決め部４１を有しても良い。これにより、位置決め部４１によって支持部を上下方向に確実に位置決めすることができる。
【００８９】
（効果６）この実施例の建物１によれば、上記軒樋３を有することにより、上記軒樋３と同様の作用効果を得ることができる。また、上記により、化粧材６３で覆われた軒樋３を有する建物１の場合でも、化粧材６３に換気部６８や流下案内部６９を設けることで、上記軒樋３の軒先側の立上部４からオーバーフローした雨水１５を半永久的に化粧材６３に設けた換気部６８や流下案内部６９などを介して外部へ円滑に排水させることができる。
【００９０】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００９１】
１      建物
３      軒樋
４      軒先側の立上部（オーバーフロー側立上部）
５      軒元側の立上部
６      軒樋本体
１１    鍔部（支持部）
１５    雨水
２１    水返部（押圧保持部）
３１    水切部
４１    位置決め部
６２    軒天井材
【図１】
2019138034.tif 000003
【図２】
2019138034.tif 000004
【図３】
2019138034.tif 000005
【図４】
2019138034.tif 000006
【図５】
2019138034.tif 000007